(57)【要約】【課題】    作業性の改善と、硬質覆工層の長期に亘る強度保証が図れる斜面の安定化工法を提供すること。【解決手段】    斜面１０にアンカー５０を設け、斜面１０にスペーサを介して非金属製の補強ネット状物３０を配置し、斜面１０にコンクリートを吹き付けて補強ネット状物３０の埋設された硬質覆工層４０を形成し、アンカー５０の頭部を硬質覆工層４０に接続する。【選択図】      図１
2006045790.tif 000002
【特許請求の範囲】
【請求項１】
硬質覆工層により斜面を保持する斜面の安定化工法であって、
斜面に非金属製の補強ネット状物を配置し、
斜面にコンクリートを吹き付けて補強ネット状物の埋設された硬質覆工層を形成することを特徴とする、
斜面の安定化工法。
【請求項２】
硬質覆工層により斜面を保持する斜面の安定化工法であって、
斜面にアンカーを設け、
斜面に非金属製の補強ネット状物を配置し、
斜面にコンクリートを吹き付けて補強ネット状物の埋設された硬質覆工層を形成し、
前記アンカーの頭部を前記硬質覆工層に接続したことを特徴とする、
斜面の安定化工法。
【請求項３】
請求項２において、アンカーが繊維製であることを特徴とする、斜面の安定化工法。
【請求項４】
請求項１乃至請求項３の何れかにおいて、繊維製の補強ネット状物を使用することを特徴とする、斜面の安定化工法。
【請求項５】
請求項１乃至請求項３の何れかにおいて、補強線を付加した繊維束で編網した補強ネット状物を使用することを特徴とする、斜面の安定化工法。
【請求項６】
請求項１乃至請求項３の何れかにおいて、補強ネット状物をスペーサを介して斜面に配置したことを特徴とする、斜面の安定化工法。
【発明の詳細な説明】
【技術分野】
【０００１】
本発明は一般斜面、切土法面や軟質、硬質の岩盤斜面、或いはコンクリート覆工斜面など（以下これらを総称して「斜面」という）の崩落を防止する斜面の安定化工法に関するものである。
【背景技術】
【０００２】
海岸線の近くの花崗岩などの岩盤斜面に面して道路や鉄道が通っている現場においては、岩盤斜面の崩壊崩落防止対策を講じる必要がある。
また海岸斜面の波浪侵食による海岸線の後退防止にも有効な対策を講じる必要がある。
これらの対策工のひとつとして、コンクリート吹付け工法が知られている。
この工法は斜面の保護範囲に亘って補強鉄筋の配筋工を行った後、所定のかぶり厚にモルタルやコンクリート（総称してコンクリートという）を吹付けて補強された硬質覆工層を形成し、硬質覆工層の強度で崩落や侵食を抑制する方法が提案されている。
【発明の開示】
【発明が解決しようとする課題】
【０００３】
上記した従来の斜面の安定化技術には次のような問題点がある。
（１）通常の平らな鉄筋コンクリート構造物と異なり、配筋面となる自然状態の斜面には大小の凹凸がある。そのため、現場の凹凸に合わせて鉄筋の現地加工を強いられるだけでなく、足場の悪い斜面で重たい鉄筋を持ち上げて配筋しなければならず、鉄筋の設置に多くの労力と時間を要する。
（２）補強用の鉄筋が海岸特有の塩化物イオンにより腐食し易い問題がある。
この対策として防錆性能の高いエポキシ樹脂などの防錆被膜で覆った鉄筋も知られているが、鉄筋の曲げ加工時に防錆被膜の亀裂、剥離を生じて鉄筋腐食の不安が残る。
（３）吹付けコンクリートの付着性をよくするためにラス網が使用されるが、金属製のラス網も鉄筋と同様に腐食の問題がある。
（４）上記したように補強用の鉄筋が腐食してコンクリート製の硬質覆工層の強度が著しく低下すると、岩盤斜面や硬質覆工層の崩落事故を誘発する危険があり、その改善技術の提案が望まれている。
【０００４】
本発明は以上の点に鑑みてなされたもので、その目的とするところは作業性の改善と、硬質覆工層の長期に亘る強度保証が図れる斜面の安定化工法を提供することにある。
【課題を解決するための手段】
【０００５】
本発明は、硬質覆工層により斜面を保持する斜面の安定化工法であって、斜面に非金属製の補強ネット状物を配置し、斜面にコンクリートを吹き付けて補強ネット状物の埋設された硬質覆工層を形成することを特徴とするものである。
また本発明に係る斜面の安定化工法は、硬質覆工層により斜面を保持する斜面の安定化工法であって、斜面にアンカーを設け、斜面に非金属製の補強ネット状物を配置し、斜面にコンクリートを吹き付けて補強ネット状物の埋設された硬質覆工層を形成し、前記アンカーの頭部を前記硬質覆工層に接続したことを特徴とするものである。
また本発明は前記した斜面の安定化工法において、アンカーが繊維製であることを特徴とするものである。
また本発明は前記した何れかの斜面の安定化工法において、繊維製の補強ネット状物を使用することを特徴とするものである。
また本発明は前記した何れかの斜面の安定化工法において、補強線を付加した繊維束で編網した補強ネット状物を使用することを特徴とするものである。
また本発明は前記した何れかの斜面の安定化工法において、補強ネット状物をスペーサを介して斜面に配置したことを特徴とするものである。
【発明の効果】
【０００６】
本発明はつぎのいずれかひとつの効果を奏する。
（１）非金属製（非腐食性）の補強ネット状物を、硬質覆工層の補強材として使用することで、従来の鉄筋やラス網の使用を省略できると共に、施工後における塩化物イオンによる腐食の問題を解消できる。
そのため、硬質覆工層の強度を長期に亘って保証することができる。
（２）補強ネット状物は鉄筋と比べて軽量であるため、現場での曲げ加工が不要となるだけでなく、補強ネット状物の現場での設置が容易となって作業性を大幅に改善することができる。
（３）補強ネット状物で補強した硬質覆工層とアンカーとを組み合わせることで、硬質覆工層と斜面の保持力が増して、硬質覆工層および斜面の崩落を防止性能が高まる。
殊に、アンカーが繊維製である場合は、アンカーの腐食の問題も解消することができる。
（４）繊維製の補強ネット状物を使用することで、補強用の鉄筋を配筋した場合と比べて硬質覆工層の靭性が著しく向上する。
ここでいう靭性の向上とは、硬質覆工層の終局破壊強度の増強を意味し、地震時に硬質覆工層にクラックが発生しても、硬質覆工層の完全破壊を抑制し得るので、鉄筋を用いた場合と比べて硬質覆工層の崩落防止性能が格段に優れる。
【発明を実施するための最良の形態】
【０００７】
以下図面を参照しながら本発明の一実施の形態について説明する。
（１）補強ネット状物の敷設工
図１に一部を省略した安定処理後の斜面１０の断面図を示す。図２に安定処理前の斜面１０の断面図を示す。
【０００８】
図２に示すように、斜面１０の安定化をする範囲に亘り、可撓性を有する非金属製（非腐食性）の補強ネット状物３０を敷設する。補強ネット状物３０の敷設に際し、斜面１０に点在させたスペーサ２０を介して斜面１０から所定距離を隔てて敷設する。
【０００９】
補強ネット状物３０は補強用鉄筋およびラス網の代替物で、引張強度に優れ、かつ塩化物イオンに対する耐腐食性と耐候性に優れた素材でネット状に形成したものである。
その素材としては、アラミド繊維、ナイロン繊維、ビニロン繊維、ポリプロピレン繊維、ポリエチレン繊維、アクリル繊維、炭素繊維、高強度ポリエチレン樹脂繊維群より選択される一種または複数種の繊維を使用できる。
そのなかでもアラミド繊維が好適である。アラミド繊維は一般繊維と比べて引張強度が格段高いことと、コンクリートとの付着性が良好であることと、コンクリートになじみ易いからである。
また繊維の形態は、複数の繊維を撚り合せて直径１ｍｍ〜３ｍｍのロープ状に形成したものを使用するか、或いはこのロープを編網した網形態のものを使用する。
補強ネット状物３０を編網して形成する場合におけるロープ径や網目寸法は、要求される設計強度に応じて適宜選択するものとする。
【００１０】
スペーサ２０は、補強ネット状物３０を斜面１０から離隔して敷設するための補助具で、本例ではピンタイプのスペーサ２０である場合について説明する。
スペーサ２０のピン部を斜面１０に打設し、スペーサ２０の上部に膨出した鍔部２１と着脱可能なキャップ２２との間に補強ネット状物３０の一部を挟持して固定する。尚、スペーサ２０は、図示した形態の他に公知の各種スペーサを使用可能である。
【００１１】
鉄筋を現地加工した従来と異なり、現場に搬入した軽量な補強ネット状物３０を広げて斜面１０の凹凸に合わせて敷設するたけであるから、補強ネット状物３０の敷設に要する労力や時間を従来と比べて著しく削減できる。
【００１２】
（２）コンクリートの吹付工
つぎに図３に示すように、斜面１０へ向けてコンクリートを吹き付けて硬質覆工層４０を形成し、硬質覆工層４０で斜面１０の表層部を覆うことで補強する。
吹き付けたコンクリートは補強ネット状物３０を透過して斜面１０に付着しながらその層厚を増していく。補強ネット状物３０が所定の被り厚に達するまでコンクリートを吹き付ける。
【００１３】
（３）補強覆工層の特性
コンクリート中に埋没された補強ネット状物３０は、硬化した補強覆工層４０の補強部材として機能するため、硬化後の補強覆工材４０の破損防止と崩落防止に役立つだけでなく、最終的に斜面１０の保持に大きく貢献する。
また補強ネット状物３０はそれ自身が優れた耐腐食性を有するので、別途に防錆被覆をすることなく、塩化物イオンによる腐食の心配がまったくなく、長期間に亘る強度保証が可能となる。
【００１４】
また補強覆工層４０の補強材として、アラミド繊維製の補強ネット状物３０を使用した場合、従来の鉄筋補強と比べて補強覆工層４０の靭性が格段に向上することが、各種の実験により確認することができた。
【００１５】
（４）その他の実施の形態１
図４は補強ネット状物３０に改良を加えた他の形態を示す。
本例は補強ネット状物３０を構成する繊維束３１に沿って塑性変形可能な非金属製の補強線３２を付加したものである。
補強線３２としては、例えばポリエステル、ポリプロピレン、ポリエチレン等のモノフィラメント（剛毛）を使用可能である。
補強線３２を付加する形態としては、繊維束３１の外周に配置することの他に、繊維束３１の内部に配置してもよく、またその付加本数も単数または複数の何れでもよい。
補強線３２を付加することで、軽くて柔らかい補強ネット状物３０に形状保持機能を付与できるので、斜面１０の凹凸形状に合わせて曲げ加工ができるだけでなく、その曲げ加工に特別な専用機器を必要としない。
補強ネット状物３０に付与する最低強度は、コンクリート吹付時に容易に変形しないだけの強度設定で十分である。
本例に合っては、補強ネット状物３０を斜面の凹凸形状に沿わせて配置できるので、補強ネット状物３０のかぶりを均一化できる利点がある。
【００１６】
（５）その他の実施の形態２
また以上は斜面１０を硬質覆工層１０で被覆する形態について説明した、図１に示すように補強ネット状物３０の敷設に先行して、斜面１０の複数箇所にアンカー５０を設けておき、これらのアンカー５０の頭部を硬質覆工層４０に一体に接続してもよい。
アンカー５０は公知のグラウンドアンカー、ロックボルト、アンカーボルトでもよいが、アラミド繊維束を樹脂で覆って棒状に形成した非金属製のアンカーテンドンを使用すると、アンカー５０が腐食する問題を回避することができる。
尚、アンカー５０の頭部は図示しない支圧板を用いて硬質覆工層４０の表面側に固定するか、或いは硬質覆工層４０中に埋設するものとし、その固定形態は何れでもよい。
【００１７】
本例のように補強ネット状物３０で補強された硬質覆工層４０とアンカー５０とを組み合わせることで、斜面１０の深部から反力を得て、補強ネット状物３０と斜面１０の保持力が増して崩落抑止効果がさらに高くなる。
【００１８】
（６）その他の実施の形態３
以上は斜面１０の全面を、補強ネット状物３０で補強した硬質覆工層４０で覆う場合について説明したが、硬質覆工層４０で斜面１０を部分的に被覆するようにしてもよい。この場合はアンカー５０と組み合わせることが望ましい。
【図面の簡単な説明】
【００１９】
【図１】本発明に係る斜面の安定化工法の概要説明図
【図２】補強ネット状物の敷設工を説明するための斜面の断面図
【図３】コンクリート硬化後における硬質覆工層の断面図
【図４】補強ネット状物を構成する繊維束の断面図
【符号の説明】
【００２０】
１０    斜面
２０    スペーサ
３０    補強ネット状物
４０    硬質覆工層
５０    アンカー
【図１】
2006045790.tif 000003
【図２】
2006045790.tif 000004
【図３】
2006045790.tif 000005
【図４】
2006045790.tif 000006